(57)【要約】  所望の寸法形状を有するスポンジ状、ゲル状、またはフィルム状の化粧用または医療用シート状物の製造及び／または収納に用いられ、運搬、容器からの取り出し、皮膚等への貼付等の取り扱いに適した包材を提供する。  所望の寸法形状を有するスポンジ状、ゲル状、またはフィルム状の、化粧用または医療用シート状物の製造及び／または収納に用いられる包材であり、該包材が、シート状物の製造収納用容器（Ａ）、容器（Ａ）中のシート状物に接触して動きを防止し、かつシート状物と共に容器（Ａ）から取り出すため把手を有する中蓋（Ｂ）、及び中蓋（Ｂ）の動きを防止すると共に容器（Ａ）開口部をシールする被覆材（Ｃ）からなる包材。
2010013656.tif 000002
【特許請求の範囲】
【請求項１】
所望の寸法形状を有するスポンジ状、ゲル状、またはフィルム状の、化粧用または医療用シート状物の製造及び／または収納に用いられる包材であり、該包材が、シート状物の製造収納用容器（Ａ）、容器（Ａ）中のシート状物に接触して動きを防止し、かつシート状物と共に容器（Ａ）から取り出すため把手を有する中蓋（Ｂ）、及び中蓋（Ｂ）の動きを防止すると共に容器（Ａ）開口部をシールする被覆材（Ｃ）からなることを特徴とする包材。
【請求項２】
容器（Ａ）が、中蓋（Ｂ）周縁部上面を容器（Ａ）開口部上面と同一面となるように収納固定するための嵌め込み部を有する請求項１記載の包材。
【請求項３】
中蓋（Ｂ）の把手の先端が、容器（Ａ）開口部をシールした被覆材（Ｃ）の面より上に出ない請求項１または２記載の包材。
【請求項４】
容器（Ａ）及び中蓋（Ｂ）が、熱可塑性樹脂の成形品である請求項１〜３のいずれか１項記載の包材。
【請求項５】
容器（Ａ）及び中蓋（Ｂ）が、それぞれ独立して、ポリエチレン樹脂フィルム、ポリプロピレン樹脂フィルム、ポリエチレンテレフタレート樹脂フィルム、ポリスチレン樹脂フィルム、及びこれらフィルムのいずれかがが外層となる３層以上の積層フィルムから選ばれる１種のフィルムの熱成形品である請求項１〜４のいずれか１項記載の包材。
【請求項６】
容器（Ａ）及び中蓋（Ｂ）が、それぞれ独立して、ポリプロピレン樹脂／エチレン−ビニルアルコール共重合体樹脂（ＥＶＯＨ）／ポリプロピレン樹脂の積層フィルム、またはポリエチレンテレフタレート樹脂／ポリプロピレン樹脂／ポリエチレンテレフタレート樹脂の積層フィルムの熱成形品である請求項１〜４のいずれか１項記載の包材。
【請求項７】
被覆材（Ｃ）が、熱可塑性樹脂の単層フィルムまたは積層フィルムである請求項１〜６のいずれか１項記載の包材。
【請求項８】
被覆材（Ｃ）がポリプロピレン樹脂単層フィルム、ポリエチレンテレフタレート樹脂単層フィルム、ポリプロピレン樹脂／アルミニウム／ポリプロピレン樹脂の積層フィルム、及びポリエチレンテレフタレート樹脂／アルミニウム／ポリエチレンテレフタレート樹脂の積層フィルムから選ばれる１種である請求項１〜６のいずれか１項記載の包材。
【請求項９】
シート状物が、合成コラーゲン（コラーゲン様ポリペプチド）含有溶液を凍結乾燥して得られるスポンジ状のシート状物である請求項１〜８のいずれか１項記載の包材。
【発明の詳細な説明】
【技術分野】
【０００１】
本発明は、スポンジ状、ゲル状、またはフィルム状の化粧用または医療用シート状物の製造及び／または収納に用いられる包材に関する。
【背景技術】
【０００２】
従来から、化粧用や医療用シート状物として、コラーゲン、ゼラチン、ヒアルロン酸、キチン、キトサン、アミノ酸またはこれらの混合物を不織布や織布等に含浸させたものを顔等の身体表面や、口腔内に貼付する方法が行われている（例えば、特許文献１参照）。しかし、これらの方法では、含浸成分が皮膚や粘膜等に浸透した後に不織布や織布等が残るため、例えば一定時間貼付後に損傷部位から除去する際に、再生した肉芽組織や上皮が剥離したり、また化粧用では不織布や織布等が廃棄物となる等の問題がある。
このため、例えばコラーゲンやヒアルロン酸等の皮膚浸透成分または身体組織の一部として取り込まれる成分のみを加温、冷却、凍結乾燥、減圧乾燥等の物理的処理によってスポンジ状、ゲル状、またはフィルム状のシート状物とし、これらを化粧用や医療用シート状物として使用することが検討されている。【０００３】
その場合、まず大きめシート状物を製造し、用いる身体部分の寸法形状に合わせて裁断または打ち抜きした上で、皮膚等に貼付するケースが考えられる。
しかし、この場合、皮膚浸透成分または身体組織の一部として取り込まれる成分のみのシート状物には、基材として不織布や織布を用いないため、強度不足、吸湿、形状保持性不足等の結果、裁断時または打ち抜き時に破損や変形が起こりやすい。この破損や変形は、シート状物の運搬時や、皮膚等への貼付等の取り扱い時にも問題となる。
また、あらかじめ所望の寸法形状の型を作成し、この型を用いてシート状物を製造し、裁断や打ち抜きに伴う不具合を改善することも考えられるが、型からシート状物を取り出す時の破損や変形の恐れは解消されない。【０００４】
【特許文献１】特開２００５−２６３７５９号公報
【発明の開示】
【発明が解決しようとする課題】
【０００５】
本発明は、上記の問題点に鑑みてなされたものであり、所望の寸法形状を有するスポンジ状、ゲル状、またはフィルム状の化粧用または医療用シート状物の製造及び／または収納に用いられ、運搬、容器からの取り出し、皮膚等への貼付等の取り扱いに適した包材を提供することである。
【課題を解決するための手段】
【０００６】
本発明者らは、上記課題を解決するため鋭意研究した。その結果、所望の寸法形状を有するスポンジ状、ゲル状、またはフィルム状の、化粧用または医療用シート状物の製造及び／または収納に用いられる包材であり、該包材が、シート状物の製造収納用容器（Ａ）、容器（Ａ）中のシート状物に接触して動きを防止し、かつシート状物と共に容器（Ａ）から取り出すため把手を有する中蓋（Ｂ）、及び中蓋（Ｂ）の動きを防止すると共に容器（Ａ）開口部をシールする被覆材（Ｃ）からなることを特徴とする包材によって前記課題が解決されることを知り、この知見に基づいて本発明を完成した。【０００７】
本発明は、以下によって構成される。
（１）所望の寸法形状を有するスポンジ状、ゲル状、またはフィルム状の、化粧用または医療用シート状物の製造及び／または収納に用いられる包材であり、該包材が、シート状物の製造収納用容器（Ａ）、容器（Ａ）中のシート状物に接触して動きを防止し、かつシート状物と共に容器（Ａ）から取り出すため把手を有する中蓋（Ｂ）、及び中蓋（Ｂ）の動きを防止すると共に容器（Ａ）開口部をシールする被覆材（Ｃ）からなることを特徴とする包材。
（２）容器（Ａ）が、中蓋（Ｂ）周縁部上面を容器（Ａ）開口部上面と同一面となるように収納固定するための嵌め込み部を有する（１）項記載の包材。
（３）中蓋（Ｂ）の把手の先端が、容器（Ａ）開口部をシールした被覆材（Ｃ）の面より上に出ない（１）または（２）項記載の包材。
（４）容器（Ａ）及び中蓋（Ｂ）が、熱可塑性樹脂の成形品である（１）〜（３）項のいずれか１項記載の包材。
（５）容器（Ａ）及び中蓋（Ｂ）が、それぞれ独立して、ポリエチレン樹脂フィルム、ポリプロピレン樹脂フィルム、ポリエチレンテレフタレート樹脂フィルム、ポリスチレン樹脂フィルム、及びこれらフィルムのいずれかがが外層となる３層以上の積層フィルムから選ばれる１種のフィルムの熱成形品である（１）〜（４）項のいずれか１項記載の包材。
（６）容器（Ａ）及び中蓋（Ｂ）が、それぞれ独立して、ポリプロピレン樹脂／エチレン−ビニルアルコール共重合体樹脂（ＥＶＯＨ）／ポリプロピレン樹脂の積層フィルム、またはポリエチレンテレフタレート樹脂／ポリプロピレン樹脂／ポリエチレンテレフタレート樹脂の積層フィルムの熱成形品である（１）〜（４）項のいずれか１項記載の包材。
（７）被覆材（Ｃ）が、熱可塑性樹脂の単層フィルムまたは積層フィルムである（１）〜（６）項記載の包材。
（８）被覆材（Ｃ）がポリプロピレン樹脂単層フィルム、ポリエチレンテレフタレート樹脂単層フィルム、ポリプロピレン樹脂／アルミニウム／ポリプロピレン樹脂の積層フィルム、及びポリエチレンテレフタレート樹脂／アルミニウム／ポリエチレンテレフタレート樹脂の積層フィルムから選ばれる１種である（１）〜（６）項のいずれか１項記載の包材。
（９）シート状物が、合成コラーゲン（コラーゲン様ポリペプチド）含有溶液を凍結乾燥して得られるスポンジ状のシート状物である（１）〜（８）項のいずれか１項記載の包材。
【発明の効果】
【０００８】
本発明の包材を用いれば、適用する身体部分の寸法形状を有するスポンジ状、ゲル状、またはフィルム状の化粧用または医療用シート状物が容易に製造される。また、製造されるシート状物は、該包材にそのまま収納されるため変形や破損を生じることなく、運搬、容器からの取り出し、皮膚等への貼付等の取り扱いが可能になる。
【図面の簡単な説明】
【０００９】
【図１】本発明の包材の１例の断面概念図である。断面は製造収納用容器（Ａ）の長手方向である。
【図２】実施例１で用いられた包材（２個セット）の図面である（容器（Ａ）はアイマスク用シートの型である）。（１）はシート状物の製造収納用容器（Ａ）、（２）は中蓋（Ｂ）である。上は（１）、（２）共に上面図、下は、（１）は長手方向中央部の断面図であり、（２）は側面図である。
【図３】本発明の包材の中蓋（Ｂ）の一例である。シート状物を皮膚等に貼付する際のシート状物と中蓋（Ｂ）との剥離を良くするため、中蓋（Ｂ）のシート状物との接着面を小さくした例である。上左は上面図、上右は長手方向の側面図、下は長手方向に直角方向の側面図である。
【図４】本発明の包材の中蓋（Ｂ）の一例である。シート状物を皮膚等に貼付する際のシート状物と中蓋（Ｂ）との剥離を良くするため、中蓋（Ｂ）のシート状物との接着面を図３の場合より更に小さくした例である。上左は上面図、上右は長手方向の側面図、下は長手方向に直角方向の側面図である。
【符号の説明】
【００１０】
ａ：シート状物の製造収納用容器（Ａ）
ｂ：中蓋（Ｂ）
ｃ：被覆材（Ｃ）
ｄ：シート状物
ｅ：中蓋（Ｂ）把手部分
ｆ：中蓋（Ｂ）周縁部を固定するための容器（Ａ）の嵌め込み部
ｇ：容器（Ａ）開口部の被覆材（Ｃ）によるシール面
ｈ：被覆材（Ｃ）の剥離用突出部
【発明を実施するための形態】
【００１１】
以下に、本発明を実施するための最良の形態を述べる。
本発明の包材は、所望の寸法形状を有するスポンジ状、ゲル状、またはフィルム状の、化粧用または医療用シート状物の製造及び／または収納に用いられる包材であり、該包材が、シート状物の製造収納用容器（Ａ）、容器（Ａ）中のシート状物に接触して動きを防止し、かつシート状物と共に容器（Ａ）から取り出すため把手を有する中蓋（Ｂ）、及び中蓋（Ｂ）の動きを防止すると共に容器（Ａ）開口部をシールする被覆材（Ｃ）からなる包材である。
本発明の包材の１例の断面を図１に示す。
【００１２】
本発明の包材によって、スポンジ状、ゲル状、またはフィルム状のシート状物となる物質としては、化粧用または医療用物質を挙げることができる。より具体的には皮膚浸透成分、皮膚保湿成分、皮膚賦活成分、及び身体組織の一部として取り込まれる成分となる物質であって、これらの１種または２種以上の混合物の溶液（好ましくは水溶液）を物理的に処理することによってスポンジ状、ゲル状、またはフィルム状のシート状物となりうる物質である。
上記のシート状物としては、コラーゲン、ヒアルロン酸、エラスチンまたはこれらの混合物の水溶液を凍結乾燥したシートが例示される。
尚、上記のシート状物の製造には、必要に応じて、本発明の目的を損なわない範囲で、通常、化粧用または医療用に用いられる増粘剤、賦形剤等の添加剤を用いてもよい。
【００１３】
本発明の包材により製造され収納されるシート状物の形状は、後述のように容器（Ａ）の上記溶液を充填する部分と中蓋（Ｂ）との間の空間形状と、物理的処理の条件の選択により決めることができる。
尚、シート状物は、その使用場面において、中蓋（Ｂ）の下面の付着した状態で容器（Ａ）から取り出され、適用する身体部分に貼付されるため、シート状物の重量は、中蓋（Ｂ）の下面とシート状物との付着力を超えないことが重要である。そのため、シート状物の厚さは、スポンジ状、ゲル状、またはフィルム状でことなるが、０．１〜１０ｍｍの範囲が目安となる。
【００１４】
本発明の包材における容器（Ａ）は、上記化粧用または医療用物質の溶液を、一定量充填した後、加温、冷却、冷凍乾燥、減圧乾燥等の物理的処理によって、所望の寸法形状のスポンジ状、ゲル状、またはフィルム状のシート状物にする容器である。従って、容器（Ａ）の該溶液充填部は、所望の寸法形状、すなわち適用する身体部分の寸法形状を有するシート状物が製造されるように、物理的処理時の収縮（場合によっては、膨張）やシート状物の取り出しやすさ等を考慮して形成される。
物理的処理後（場合によっては、物理的処理前）には、中蓋（Ｂ）を載せて、運搬中等におけるシート状物の動きを防止し、シート状物の変形や破損を防止する。そのためには中蓋（Ｂ）が容器（Ａ）に固定される必要があり、容器（Ａ）には、中蓋（Ｂ）周縁部上面を容器（Ａ）開口部上面と同一面となるように収納固定するための嵌め込み部が設けられて中蓋（Ｂ）の動きを防止すると共に、容器（Ａ）開口部をシールする被覆材（Ｃ）が中蓋（Ｂ）周縁部を押さえて中蓋（Ｂ）の動きを防止する。すなわち、容器（Ａ）の嵌め込み部と被覆材（Ｃ）とに挟まれて中蓋（Ｂ）の横及び上下の動きが防止され、その結果、シート状物の動きが防止されて変形や破損を防止される。
【００１５】
容器（Ａ）の製造に用いられる材料は、熱可塑性樹脂が好ましい。熱可塑性樹脂としては特に限定はされないが、例えば、ポリエチレン樹脂（ＰＥ）、ポリプロピレン樹脂（ＰＰ）等のポリオレフィン樹脂、ポリエチレンテレフタレート樹脂（ＰＥＴ）等のポリエステル樹脂、ポリスチレン樹脂（ＰＳ）が好ましく用いられる。
容器（Ａ）は単一の熱可塑性樹脂の射出成形品でもよいが、熱可塑性樹脂の単層または積層フィルムの熱成形品がコスト的に有利である。例えば、ＰＰ／エチレン−ビニルアルコール共重合体樹脂（ＥＶＯＨ）／ＰＰの積層フィルムまたはＰＥＴ／ＰＰ／ＰＥＴの積層フィルムのような３層積層フィルムを、真空成形法、真空圧空成形法、または圧縮成形法のような熱成形法により加工して得られる成形品は、防湿性に優れているため好ましい。
尚、本発明でフィルムとは、フィルムとシートの総称である。
【００１６】
本発明の包材における中蓋（Ｂ）は、容器（Ａ）に形成されたシート状物の運搬中等における変形や破損を防止すると同時に、シート状物を化粧用または医療用に使用する際は、シート状物との接触による付着力を利用して容器（Ａ）から取り出し、シート状物を皮膚等へ直接貼付する役割を果たす。このため、中蓋（Ｂ）には、シート状物に直接手で触れることなく取り出すための把手が設けられる。また、容器（Ａ）からのシート状物の離型性をよくするため、容器（Ａ）の材料は、疎水性であり、中蓋（Ｂ）の材料は、容器（Ａ）の材料より親水性であることが好ましい。また、シート状物と中蓋（Ｂ）との付着をよくするため、中蓋（Ｂ）のシート状物との接着面に凹凸形状を付与してもよい。更に、場合によっては接触面に孔を設けてもよい。もちろん、シート状物を皮膚等に貼付する際のシート状物と中蓋（Ｂ）との剥離を良くするため、本発明の目的を損なわない範囲で、中蓋（Ｂ）のシート状物との接着面を小さくすることもできる。
すなわち、中蓋（Ｂ）のシート状物との接着面の大きさや形状は、シート状物の形態（スポンジ状、ゲル状、またはフィルム状）、成分（コラーゲン、ヒアルロン酸、エラスチン等）、用途（化粧用または医療用）、皮膚等への貼付方法により適宜選択できる。
【００１７】
中蓋（Ｂ）に設けられる把手は、長い方がつまみやすく、シート状物の取り出しには便利だが、あまり長いとその先端が、容器（Ａ）開口部をシールした被覆材（Ｃ）を破損する恐れがあるため、先端が被覆材（Ｃ）の面より上に出ないことが好ましい。先端部には孔を設けてもよい。
【００１８】
中蓋（Ｂ）の製造に用いられる材料は、容器（Ａ）の場合と同様に熱可塑性樹脂が好ましい。熱可塑性樹脂としては特に限定はされないが、例えば、ポリエチレン樹脂（ＰＥ）、ポリプロピレン樹脂（ＰＰ）等のポリオレフィン樹脂、ポリエチレンテレフタレート樹脂（ＰＥＴ）等のポリエステル樹脂、ポリスチレン樹脂（ＰＳ）が好ましく用いられる。
中蓋（Ｂ）は単一の熱可塑性樹脂の射出成形品でもよいが、熱可塑性樹脂の単層または積層フィルムの熱成形品がコスト的に有利である。例えば、ＰＰ／エチレン−ビニルアルコール共重合体樹脂（ＥＶＯＨ）／ＰＰの積層フィルムまたはＰＥＴ／ＰＰ／ＰＥＴの積層フィルムのような３層フィルムを、真空成形法、真空圧空成形法、または圧縮成形法のような熱成形法により加工して得られる成形品は、防湿性に優れているため好ましい。
尚、中蓋（Ｂ）のシート状物との接着面に親水性を付与するため、材料の熱可塑性樹脂に生理学的に問題のない界面活性剤を添加してもよい。
容器（Ａ）に疎水性のＰＰを用い、中蓋（Ｂ）に親水性のあるＰＥＴを用いる組み合わせは、シート状物を身体部分に適用する際に、親水性のシート状物が中蓋（Ｂ）に付着し易いため容器（Ａ）からの取り出しが容易で好ましい。
【００１９】
本発明の包材における被覆材（Ｃ）は、容器（Ａ）開口部をシールして容器（Ａ）の中に形成、収納されたシート状物の変質を防止すると共に、中蓋（Ｂ）の動きを防止してシート状物の破損、変形をも防止する。
【００２０】
被覆材（Ｃ）の製造に用いられる材料は、容器（Ａ）に収納されたシート状物の種類等によって選択可能である。例えば、ＰＰ単層フィルム、ＰＥＴ単層フィルム、ＰＰ／アルミニウム／ＰＰ積層フィルム、及びＰＥＴ／アルミニウムＰ／ＰＥＴ積層フィルムが挙げられ、容器（Ａ）開口部と接着してシールできるものであれば特に制限はないがシート状物が水溶性である場合が多く、また人体に適用されるため、透湿性、通気性の材料は避けることが好ましい。
尚、シールの方法は、ヒートシールが例示される。被覆材（Ｃ）の大きさを容器（Ａ）開口部の大きさより大きめにする等して、シート状物を使用する時に、シールを剥がしやすいように工夫することが好ましい。
上記のシールと剥離を容易にするため、被覆材（Ｃ）は上記の材料フィルムのシール面にシリコン樹脂の層を設けることが好ましい。
【００２１】
本発明の包材が用いられるシート状物が、特に吸湿性が大きい場合は、中蓋（Ｂ）のシート状物と接触しない側に乾燥剤を設置し、吸湿によるシート状物の変質を防止することが好ましい。
【実施例】
【００２２】
以下、実施例により本発明を詳しく説明するが。本発明はこれに限定されるものではない。
尚、実施例で用いられた合成コラーゲン（コラーゲン様ポリペプチド）水溶液（濃度：０．３重量％）は、チッソ株式会社製のPoly(Pro-Hyp-Gly)［Pro；Ｌ−プロリン残基、Hyp；Ｌ−ヒドロキシプロリン残基、及びGly；Ｌ−グリシン残基］であった。【００２３】
実施例で用いられた包材は、形状は図２に示すもので、仕様は以下のようであった。
製造収納用容器（Ａ）：ＰＰ／ＥＶＯＨ／ＰＰ積層フィルム（商品名：スミライトＣＥＬ−Ｒ１２５Ｂ  ＵＶ、厚さ８００μｍ、住友ベークライト株式会社製）を真空成形して図２（１）に示すような２個一対の容器が一体となった成形品を得た。容器部分の内側寸法は長い方が約４ｃｍ、深さ約１ｃｍであった。
中蓋（Ｂ）：ＰＥＴフィルム（商品名：サイテックシートＢＬ、厚さ４００μｍ、内海リサイクルシステムズ株式会社製）を真空成形して図２（２）に示すような、上記の容器に嵌合可能な中蓋の成形品を得た。容器に嵌合する部分の外側寸法は長い方が約４ｃｍ、深さ約７ｍｍであった。長手（最長部）方向の中央に幅約４ｍｍ、高さ約６ｍｍの把手を設けた。
被覆材（Ｃ）：ＰＥＴ／アルミニウム／ＰＥＴ／シーラント積層フィルム（厚さ：９０μｍ、中本パックッス株式会社製）。【００２４】
実施例１
（シート状物包装サンプルの製造）
温度２５℃の合成コラーゲン水溶液を、製造収納用容器（Ａ）に液高さ３ｍｍとなるよう充填した。コラーゲン水溶液を充填した容器（Ａ）を、凍結乾燥機（本体商品名：EYELA  FDU-1100（東京理化器械株式会社製）、角型ドライチャンバー商品名：EYELA  DRC-1000（東京理化器械株式会社製）、真空ポンプ：ULVAC-200（アルバック機工株式会社製））に入れて１０時間かけ−５０℃になるまで冷却し凍結した。その後、真空ポンプを作動させて−５０℃で１０時間凍結乾燥した後、２５℃まで温度を戻し凍結乾燥機から取り出し、厚さが約３ｍｍのスポンジ状のシート状物が形成されたことを確認した。次いで、中蓋（Ｂ）を把手を上にして容器（Ａ）に入れて、シート状物に蓋をした。中蓋（Ｂ）周縁部の高さは、容器（Ａ）開口部面の高さと同じであった。
更に、被覆材（Ｃ）で容器（Ａ）開口部をヒートシールしてシート状物包装サンプルを得た。容器（Ａ）中のシート状物も中蓋（Ｂ）も固定され動く気配はなかった。【００２５】
（シート状物の取り扱い性評価）
シート状物の取り扱い性を評価するため、上記の方法で製造されたサンプルを１０個用意した。左手で容器（Ａ）を持ち、右手で中蓋（Ｂ）の把手部分をつまんで静かに持ち上げた。いずれのサンプルでもシート状物は中蓋（Ｂ）に付着して持ち上げられ、容器（Ａ）中に残ったり、落下することはなかった。次に、純水で湿らせたティッシュペーパーを水平な面の上に置き、その上に中蓋（Ｂ）をシート状物を下にして置き、その後静かに中蓋（Ｂ）を持ち上げた。シート状物は全てティッシュペーパーの上に載り、中蓋と共に持ち上げられたものはなかった。
【産業上の利用可能性】
【００２６】
本発明の包材は、適用する身体部分の寸法形状を有するスポンジ状、ゲル状、またはフィルム状の化粧用または医療用シート状物の容器として利用され得る。また、本発明の包材を利用して製造されるシート状物は、該包材にそのまま収納されるため変形や破損を生じることなく、運搬、容器からの取り出し、皮膚等への貼付等の取り扱いが可能になる。
【図１】
2010013656.tif 000003
【図２】
2010013656.tif 000004
【図３】
2010013656.tif 000005
【図４】
2010013656.tif 000006
【国際調査報告】
2010013656.tif 000007
2010013656.tif 000008
2010013656.tif 000009